(57)【要約】【課題】　本発明はＰＤＡｐｅｒｓｏｎａｌ　ｄｉｇｉｔａｉ　ａｓｓｉｓｔａｎｔｓ）、モバイルコンピュータ、携帯電話等を使用し、インターネットを介してユーザのコンピュータに接続可能なモバイルソルーションシステムに関する。【解決手段】　本発明はパーソナルコンピュータＰＣのファイルやフォルダを閲覧し、受信メールの閲覧、新規メールの作成や送信等をインターネットを介して接続された情報端末機器によって実行するものであり、社内ＬＡＮ６に構築されたファイヤーウォール（Ｆｉｒｅｗａｌｌ）をピアｔｏピア（Ｐｅｅｒ−ｔｏ−Ｐｅｅｒ）形式でブリッジし、極めて便利なモバイルソルーションシステムを提供するものである。【選択図】　　　図１
2004139577.tif 000002
【特許請求の範囲】
【請求項１】
　ネットワークを介して情報端末機器とサーバと社内ＬＡＮが接続されたモバイルソルーションシステムにおいて、
　前記情報端末機器から送信されるＩＤ番号とパスワードによって、前記サーバはアクティベーションキーをメールによって前記情報端末機器に送信し、
　該情報端末機器は前記アクティベーションキーを用いて本人認証を行った後、前記社内ＬＡＮのコンピュータとピアｔｏピアで通信を行い、前記情報端末機器によってコンピュータ処理を実行することを特徴とするモバイルソルーションシステム。
【請求項２】
　前記アクティベーションキーの送付を受ける情報端末機器は、前記ＩＤ番号とパスワードを送信した情報端末機器と異なる情報端末機器であることを特徴とする請求項１記載のモバイルソルーションシステム。
【請求項３】
　前記サーバはアクティベーションＵＲＬを前記情報端末機器に送信することを特徴とする請求項１、又は２記載のモバイルソルーションシステム。
【請求項４】
　前記サーバはクイックログオンメールを前記情報端末機器に送信することを特徴とする請求項１、又は２記載のモバイルソルーションシステム。
【請求項５】
　ネットワークを介して情報端末機器と社内ＬＡＮに接続されたサーバであって、
　前記情報端末機器から送信されるＩＤ番号とパスワードが入力する入力手段と、
　該ＩＤ番号とパスワードを認証し、アクティベーションキーを送信する送信手段と、
　前記情報端末機器から送信されるアクティベーションキーを前記社内ＬＡＮに転送し、前記情報端末機器と社内ＬＡＮをピアｔｏピア接続させることを特徴とするサーバ。
【発明の詳細な説明】
【技術分野】
【０００１】
　本発明はＰＤＡ（ｐｅｒｓｏｎａｌ　ｄｉｇｉｔａｉ　ａｓｓｉｓｔａｎｔｓ）、モバイルコンピュータ、携帯電話等を使用し、インターネットを介してユーザのコンピュータに接続可能なモバイルソルーションシステムに関する。
【背景技術】
【０００２】
　今日、パーソナルコンピュータを初めとして、コンピュータの周辺機器であるＰＤＡやデジタルカメラ、ハードディスク（ＨＤＤ）、更には携帯電話やモバイルコンピュータ等の電子機器が広く市販されている。
【０００３】
　また、インターネット技術の発展によって、ユーザのコンピュータが単独で、又はＬＡＮ（ローカルエリアネットワーク）やＷＡＮ（ワイドエリアネットワーク）を介してインターネットに接続され、上記ＰＤＡやモバイルコンピュータ、携帯電話と接続可能である。
【発明の開示】
【発明が解決しようとする課題】
【０００４】
　かかる現状において、ユーザのコンピュータとＰＤＡ、モバイルコンピュータ等のモバイル機器と接続し、例えば外出先において自己のコンピュータの情報を利用することができれは有効である。なお、関連する発明として特許文献１がある。
【特許文献１】特開２００２−２５９６０８号公報
【０００５】
　そこで、本発明は上記課題を解決するため、外出先等の何処にいる場合でも、また何時でもコンピュータと接続し、ファイルやデータの閲覧、メールの受信やメールの作成、送信、カメラの遠隔操作等を容易に行うことが可能なモバイルソルーションシステムを提供するものである。
【課題を解決するための手段】
【０００６】
　上記課題は本発明の請求項１の態様によれば、ネットワークを介して情報端末機器とサーバと社内ＬＡＮが接続されたモバイルソルーションシステムにおいて、前記情報端末機器から送信されるＩＤ番号とパスワードによって、前記サーバはアクティブキーをメールによって前記情報端末機器に送信し、該情報端末機器は前記アクティブキーを用いて前記社内ＬＡＮのコンピュータとピアｔｏピアで通信を行い、前記情報端末機器によってコンピュータ処理を実行するモバイルソルーションシステムを提供することによって達成できる。
【０００７】
　このように構成することにより、情報端末機器を保持するユーザは、社外において社内ＬＡＮに構築されたコンピュータとピアｔｏピア（Ｐｅｅｒ−ｔｏ−Ｐｅｅｒ）で通信を行うことができる。
【０００８】
　請求項２の記載は、前記請求項１記載の発明において、前記アクティベーションキーの送付を受ける情報端末機器は、例えば前記ＩＤ番号とパスワードを送信した情報端末機器と異なる情報端末機器である。
【０００９】
　このように構成することにより、更にユーザの利便性を図ることができる。
　請求項３の記載は、前記請求項１又は２の記載において、例えば前記サーバはアクティベーションＵＲＬを前記情報端末機器に送信する構成である。
【００１０】
　このように構成することにより、送信されたアクティベーションＵＲＬを入力し、当該サイトにログオンすることができる。
　請求項４の記載は、前記請求項１又は２の記載において、例えば前記サーバはクイックログオンメールを前記情報端末機器に送信する構成である。
【００１１】
　このように構成することにより、より迅速にサイトにログオンすることができる。
　上記課題は本発明の請求項５の態様によれば、ネットワークを介して情報端末機器と社内ＬＡＮに接続されたサーバであって、前記情報端末機器から送信されるＩＤ番号とパスワードが入力する入力手段と、該ＩＤ番号とパスワードを認証し、アクティブキーを送信する送信手段と、前記情報端末機器から送信されるアクティブキーを前記社内ＬＡＮに転送し、前記情報端末機器と社内ＬＡＮをピアｔｏピア接続させるサーバを提供することによって達成できる。
【００１２】
　本発明はサーバの発明であり、このように構成することによっても、情報端末機器を保持するユーザは、社外において社内ＬＡＮに構築されたコンピュータとピアｔｏピア（Ｐｅｅｒ−ｔｏ−Ｐｅｅｒ）で通信を行うことができる。
【発明の効果】
【００１３】
以上説明したように、本発明によればインターネットを介して接続されたパーソナルコンピュータＰＣに対して外出先からアクセルでき、ファイルやフォルダの閲覧やダウンロード等ができ、極めて便利なシステムである。
【００１４】
　また、外部から連絡先の閲覧や、メールの作成、送信、返信等ができ、極めて便利なシステムである。
　また、アクティベーションキーを異なる端末機器に送信することもでき、より便利なシステムとすることができる。
【００１５】
　さらに、クイックログオンメールを利用することによって、更に簡単にウェブ（ＷＥＢ）サイトにログオンすることができる。
【発明を実施するための最良の形態】
【００１６】
以下、本発明の実施の形態を図面を参照しながら説明する。
　図１は本実施形態のモバイルソルーションシステムのシステム構成図である。同図において、サーバ１は本発明のAny Where Mobile Serverであり、本システムの要部である。このサーバ１にはインターネットを介して情報端末機器である携帯電話２、ＰＤＡ３，４、パーソナルコンピュータ５が接続される。尚、図示しないが、モバイルコンピュータやデジタルカメラ等の他の情報端末機器を接続する構成であってもよい。
【００１７】
　また、サーバ１はインターネットを介してユーザのネットワークに接続される。同図に示すネットワークは社内ＬＡＮ６であり、複数のパーソナルコンピュータＰＣ１〜４が接続されている。これらのパーソナルコンピュータＰＣ１〜４は、例えばユーザ毎のコンピュータであり、所定のシリアル番号が付与されている。また、各パーソナルコンピュータＰＣ１〜４には、例えばＯｕｔＬｏｏｋや、ワード、表計算ソウト等のアプリケーションがインストールされ、データベースも構築されている。
【００１８】
　図２は上記サーバ１の模式図であり、サーバ１はＣＰＵ７、ＲＯＭ８、ＲＡＭ９等で構成され、ＣＰＵ７はＲＯＭ８に登録されたシステムプログラムに基づいて処理を行い、必要に応じてサーバ１に接続された記憶装置１０にアクセスし、データの授受を行う。
【００１９】
　また、サーバ１のディスプレイ１１には必要な情報が表示され、通信回線を介して情報の授受が行われる。尚、本例の処理はＲＯＭ８に記憶したプログラムに従って実行されるが、同図に示すようにサーバ１に配設されたメディアドライバ１２にフレキシブルディスク１３やＣＤ−ＲＯＭ１４等の記録媒体を装着し、当該記録媒体から上記プログラムを読み出して利用する構成とすることもできる。
【００２０】
　次に、本例の処理動作を説明する。
　図３は本例の処理動作を説明する図であり、例えば外出先にいるユーザは保持する情報端末機器を操作し、サーバ１からログイン画面を読み出し、ブラウザを利用してログイン画面を表示する。ユーザは、ログイン画面に表示される入力エリアにＩＤ番号とパスワードを入力し、サーバ１に送信する（図３に示す1)）。すなわち、利用者はＷＥＢサイトにてＩＤ番号とパスワードを入力する。
【００２１】
　一方、サーバ１は上記ＩＤ番号とパスワードを確認し、上記ＩＤ番号とパスワードが有効であれば、事前に利用者により登録されている、例えば携帯電話のメールアドレスに有効期限のあるアクティベーションキー（一時キー（Ｋｅｙ））を通知する。すなわち、Ｅメールを利用してユーザの携帯電話にアクティベーションキー（一時キー（Ｋｅｙ））を送信する（同図に示す2)）。
【００２２】
　次に、ユーザはサーバ１から送られてきたアクティベーションキー（一時キー（Ｋｅｙ））を確認する。そして、スワード入力画面にて当該アクティベーションキー（一時キー（Ｋｅｙ））を入力し（同図に示す3)）、サーバ１にアクセスする（同図に示す4)）。
【００２３】
　サーバ１では上記の入力がアクティベーションキー（一時キー（Ｋｅｙ））と一致しているか判断し、かつ有効期限内であるか判断し、問題が無ければ認証処理を完了する。以後、ユーザは社内ＬＡＮ６に構築されたパーソナルコンピュータＰＣにアクセスし、ファイルやフォルダの閲覧等を行うことができる。
【００２４】
　尚、上記アクティベーションキー（一時キー（Ｋｅｙ））の有効時間は、例えば１０分である。但し、８分、９分、１１分、１２分等に他の時間に設定することもできる。
　一方、上記実施形態の説明では、アクティベーションキーが送信される端末機器は、最初にサーバ１にアクセスした端末機器に対して行われた。例えば、携帯電話２からＩＤ番号とパスワードを入力し、アクティベーションキーを取得する為のアクセスがあれば同じ携帯電話２にアクティベーションキーを送信していた。しかし、ユーザの指定する他の端末機器にアクティベーションキーを送信する構成とすることもできる。
【００２５】
　例えば、ユーザが所有する他の携帯電話やＰＤＡ、パーソナルコンピュータ等にアクティベーションキーを送信し、送信されたアクティベーションキーを使用して当該端末機器からサーバ１にアクセスすることができる。
【００２６】
　次に、上記例ではメール（アクティベーションメール）によってアクティベーションキーを同じ端末機器、又はユーザが指定する他の端末機器に送付するようにしたが、アクティベーションＵＲＬ（ｕｎｉｆｏｒｍ　ｒｅｓｏｕｒｃｅ　ｌｏｃａｔｏｒ）を含むメールを送信する構成とすることもできる。
【００２７】
　例えば、利用者はＷＥＢサイトにてＩＤ番号とパスワードを入力し、他の端末機器を指定することによって、アクティベーションＵＲＬを含むメールが端末機器に送られる。ユーザは送付されたＵＲＬを入力し、ブラウザを使用して指定されたウェブ（ＷＥＢ）サイトに再接続する。
【００２８】
　さらに、ブラウザによってＷＥＢサイトにログオンし、クイックログオンメールを取得することによって更に迅速にＵＲＬにアクセスすることができる。すなわち、先ずブラウザによってＷＥＢサイトに接続し、前述の認証処理後、別端末にクイックログオンメールの送付を受ける。このクイックログオンメールは、メールのリンクを辿るだけでアクティベーションキーのリクエストがかかり認証処理が完了するプロトコルを有する。
【００２９】
　したがって、ユーザは上記クイックログオンメールを取得した後、クイックログオンメールの中のＵＲＬを選択するだけで自動的にアクティベーションキーが送付され、認証処理が行われ、自動的にサイトにログオンされる。したがって、上記クイックログオンメールを利用することによって、前述のＩＤ番号やパスワードの入力処理等を省略でき、より迅速にログオン処理を行うことができる。
【図面の簡単な説明】
【００３０】
【図１】本実施形態のモバイルソルーションシステムのシステム構成図である。
【図２】サーバの模式図である。
【図３】本例の処理動作を説明する図である。
【符号の説明】
【００３１】
　１　サーバ
　２　携帯電話
　３、４　ＰＤＡ
　５　パーソナルコンピュータ
　６　社内ＬＡＮ
　７　ＣＰＵ
　８　ＲＯＭ
　９　ＲＡＭ
１０　記憶装置
１１　ディスプレイ
１２　メディアドライバ
１３　フレキシブルディスク
１４　ＣＤ−ＲＯＭ
【図１】
2004139577.tif 000003
【図２】
2004139577.tif 000004
【図３】
2004139577.tif 000005